(57)【特許請求の範囲】
【請求項１】
所定枚数の羽根が切り起こされ、筒状に巻着されたシロッコファン用基板の吸込側周端に上板、他周端に下板を加締固定して形成した２つのファン部をそのファンよりも僅かに大径に形成されたファン隔壁板を挟持して背中合わせ状に連結した両面吸込式の多翼ファンと、その多翼ファンを収容するケーシングとを備え、前記ケーシングは、ファン隔壁板に対応する位置に隔壁を設けて排気室と給気室とに区画してなり、前記ファン隔壁板の外縁に弾性膜を嵌着固定し、該弾性膜と隔壁とで小間隙を隔てたオーバーラップ構造を構成していることを特徴とする強制給排気用送風機。
【請求項２】
前記ファン隔壁板がファン部よりも大径に成形された円板状の弾性板であり、該弾性板が前記隔壁とで小間隙を隔てたオーバーラップ構造を構成することを特徴とする請求項１記載の強制給排気用送風機。
【発明の詳細な説明】
【０００１】
【発明の属する技術分野】
本発明は、強制給排気用送風機、更に詳しくは住宅が気密化する現況下において料理で発生する油煙等を積極的に排気するために室内（台所）の負圧化を解消するレンジフードファンに使用される強制給排気用送風機に関するものである。
【０００２】
【従来の技術】
この種、強制給排気用送風機は、羽根を一枚づつ製作し、この羽根を上板と下板に植え込んで排気ファンと、給気ファンとを形成し、その両ファンをモータから前後に突出する回転軸各々に同軸状に取付け、その排気ファン、給気ファンを別々なケーシングに収容した構造のものであった（実開平3-57336 号公報、実開平3-57337 号公報）。
この構造では、基板から羽根を一枚づつ切抜き成形することから端切れ等の使用できい材料が発生し、材料コストが高くつくこと。一枚一枚羽根を上板、下板に対して植え込むことから作業に手間がかかる。２個のファンと独立した２個のケーシングを製作用意すること。モータも前後に回転軸を有する構造のものが必要となること。等を理由として製作コストが高騰する問題があった。
【０００３】
【発明が解決しようとする課題】
そこで、本出願人は、図８に示すように、特願平7-180873号公報に開示するように中間部分に縦設する動力伝達板32で軸方向に二分割した両面吸込式の多翼ファン２を、ケーシング１に収容し、そのケーシング１内を前記動力伝達板32の延長線上に設けた隔壁71で排気室200 と給気室300 とに区画した強制給排気用送風機を提案している。
この先提案のものは給排気を１個のファン、１個のケーシングで可能にしている。
しかし、隔壁71との間に動力伝達板32の回転を妨害しない空間Ｙを動力伝達板32と隔壁71との間に輪状に確保しなければならず、その結果、その空間Ｙを介して排気が給気室300 に、また給気が排気室200 に混入する虞れがあり、特に新鮮な外気に排気が混入した混合気を室内の住空間に供給させることは好ましいことではなかった。
また、１個のファンと言えども基板から羽根を一枚づつ切抜き成形すること。羽根を一枚一枚上板、下板に植え込むことについては先の先行技術と変わりなく、製作コストを期待する程度まで低減できるものでもなかった。
【０００４】
本発明は、従来事情に鑑みてなされたもので、その目的とする処は、排気と給気とが互いに混ざり合わない強制給排気用送風機を低廉下で提供することにある。
【０００５】
【課題を解決するための手段】
上記目的を達成するために講じた技術的手段は、請求項１は、所定枚数の羽根が切り起こされ、筒状に巻着されたシロッコファン用基板の吸込側周端に上板、他周端に下板を加締固定して形成した２つのファン部をそのファンよりも僅かに大径に形成されたファン隔壁板を挟持して背中合わせ状に連結した両面吸込式の多翼ファンと、その多翼ファンを収容するケーシングとを備え、前記ケーシングは、ファン隔壁板に対応する位置に隔壁を設けて排気室と給気室とに区画してなり、前記ファン隔壁板の外縁に弾性膜を嵌着固定し、該弾性膜と隔壁とで小間隙を隔てたオーバーラップ構造を構成していることを要旨とする。
また、請求項２は、ファン隔壁板がファン部よりも大径に成形された円板状の弾性板であり、該弾性板が前記隔壁とで小間隙を隔てたオーバーラップ構造を構成することを要旨とする。
【０００６】
上記技術的手段によれば、ファン隔壁板の周端に嵌着固定された弾性膜とその弾性膜に対して小間隙を隔てて配置される隔壁とでオーバーラップ構造を形成したり、２つのファン部間に挟持された弾性板とその弾性板に対して小間隙を隔てて配置される隔壁とでオーバーラップ構造を形成した結果、その弾性膜や弾性板が臨む排気室内の空気圧が給気室内に混入する場合には小間隙を更に小さくするように弾性的に曲がって、大きな流路抵抗を生み出し、特に好ましくない排気の給気への混入防止に大きな効果を発揮する。
その小間隙が迷路状とするものにあっては、流路抵抗が更に大きくなり、排気の給気室、給気の排気室への混ざり込みがより確実に防止される。
そして、シロッコファン用基板から羽根を切り起こし、筒状に巻回されたそのシロッコファン用基板周端に上板、下板を一括固定（加締固定）して２つのファン部を形成し、２つのファン部を背中合わせ状に連結して多翼ファンを構成するので廉価に製造することができる。
【０００７】
【発明の実施の形態】
次に、本発明の実施の形態を図面に基づいて説明する。
図１乃至図５は、請求項１の実施の形態（後述では第１の実施の形態と称する）を、図６は、請求項１の他の実施の形態（後述では第２の実施の形態と称する）を、図７は、請求項２の実施の形態（後述では第３の実施の形態と称する）を各々示している。
まず、第１の実施の形態を説明すると、符号Ｂは図１は本発明の強制給排気用送風機Ａを収容したレンジフードファンを示し、Ａは強制給排気用送風機、ｂはその強制給排気用送風機Ａを収容するフード本体、３は前記強制給排気用送風機Ａに接続された排気ダクト、４は給気チャンバー５に接続された給気ダクトであり、調理によって発生した油煙、臭い等は強制給排気用送風機Ａから排気ダクト３を介して屋外に排出され、屋外の新鮮な空気は給気ダクト４から給気チャンバー５を介して強制給排気用送風機Ａから室内に給気されるようになっている。
【０００８】
強制給排気用送風機Ａは、ケーシング１と、そのケーシング１内に収容される多翼ファン２とで構成され、ケーシング１の外側には多翼ファン２を駆動させるモータ11が固定されている。
【０００９】
ケーシング１は、今日周知のボリュート形状を呈し、軸方向の前側を多翼ファン２の着脱用孔21ａを有する前板21で、また後側を開口31ａを有する後板31で各々被蓋すると共に、着脱用孔21ａにベルマウス21ｂをネジ止めして排気用の吸込口41を形成し、後板31の開口31ａ口縁を内側に湾曲状のベルマウス31ｂを折曲して吸込口51を形成し、その前後の吸込口41と51との中程部分に隔壁71を縦設している。
【００１０】
多翼ファン２は、２つのファン部12、22を互いの円板状の下板12ａ、22ａ部分で背中合わせ状に連結した両面吸込構造に形成してある。
【００１１】
ファン部12、22各々は、詳細には帯板状を呈するシロッコファン用基板100 の長手縁の所定範囲を残して長さ方向に所定間隔をおいて膨出部101 をプレス成形した後、そのその膨出部101 を囲むように平面形状略コ字形にカット102 を施する共に、そのカットした部分を切り起こし、その切り起こした羽根形成部分を圧潰して前記膨出部101 を平らに延ばし、その平らにした羽根12ｃ、22ｃ部分を所定の曲率に曲げ加工すると共に、長手縁に残存する帯板部分から被加締板部104 を立ち上げ形成し、こうしたシロッコファン用基板100 を筒状に丸め、吸込側周端の被加締板部104 に円環状の上板12ｂ、22ｂを、逆側の他周端の被加締板部104 に円板状の下板12ａ、22ａを各々加締固定して形成されている（図３、図４、図５参照）。
【００１２】
この２つのファン部12、22は、図１、図２に示すように両ファン部12、22間に連結するファンボス６で挟持したファン隔壁板７の周端部にゴム製、軟質プラスチック製等の環状の弾性膜８を嵌着固定している。
図２は、同径もしくはほぼ同径な２つのファン部12、22の場合、図６は第２の実施の形態として、下板12ａ、22ａの一方または双方を円環状とする同径もしくはほぼ同径な２つのファン部12、22の場合を示している。
【００１３】
前記隔壁71は、ボリュート形状を呈するケーシング１の中間部に前後に２分割化し、前記多翼ファン２と同芯で後側のファン部22よりも僅かに大径な開口71ａを開設してあり、前記弾性膜８とで、ケーシング１内を前側の排気室200 、後側の給気室300 とに区画している。
【００１４】
前記ファン隔壁板７は、ファン部12、22よりも若干大径になっており、弾性膜８と隔壁71の開口71ａ近傍とで小間隙Ｘを隔てたオーバーラップ構造を形成している。
【００１５】
前記給気ダクト４が接続される給気チャンバー５は、フード本体ｂの背板ｂ１、天板ｂ２に亘って取付けられている。
給気チャンバー５の前面部15には開口15ａが設けられており、送風機Ａはケーシング１の後板31に設けた十字状等の取付脚11ｂを介して支持されたモータ11の一半部を前記前面部15の開口15ａから内部に収容状に取付けられている。
【００１６】
前記多翼ファン２は、ケーシング１の後板31に設けられた吸込口51の中心を挿通させたモータ軸11ａに前記ファンボス６に排気室200 側からナット11ｃ止めされて組み付けられている。
【００１７】
斯様な構成になっている第１、第２の実施の形態の強制給排気用送風機Ａは、作動させると、料理で発生する油煙、臭い等がフィルターで吸着された排気を前側の吸込口41から排気室200 に吸込むことと併行して屋外の新鮮な外気を給気ダクト４、給気チャンバー５の開口15ａを介して給気室300 に吸込み、排気を排気ダクト３を介して屋外に、また新鮮な外気を天板ｂ２に設けたスリットｂ２’から室内に各々排出する。
その際、前記のようにファン隔壁板７外縁の弾性膜８と、隔壁71とが流路抵抗を大きくする小間隙Ｘを隔てて対面する位置関係にしているため、小間隙Ｘによる気体の流通防止作用で排気室200 内の排気が給気室300 に混ざり込んだり、逆に給気室300 内の新鮮な外気が排気室200 に混ざり込んだりするのを防止できる。
そして、その弾性膜８が臨む排気室200 の排気圧力が、給気室300 の給気圧力よりも大きい場合に小間隙Ｘを更に狭めるように曲がって流路抵抗を増大させることができ、特に好ましくない排気の給気への混入防止に効果が大きい。
また、前側のベルマウス21ｂを外した後、ナット11ｃを解いて着脱用孔21ａから多翼ファン２を取り外すことで同ファン２の清掃、点検が行える。
【００１８】
次に第３の実施の形態を説明すると、この実施の形態は、図７に示すように、前記第１、第２の実施の形態で示した弾性膜８を周設したファン隔壁板７をゴム製、軟質プラスチック製等からなる弾性板９で形成し、その弾性板９を、その周端部近傍と隔壁71の開口71ａ近傍部とで小間隙Ｘを隔てたオーバーラップ構造を形成するように円板状にしたものである。
【００１９】
尚、前述する小間隙Ｘを形成する隔壁71の構成面に突起類を突設したり、植毛を施すことも自由である。この場合には多翼ファンの回転抵抗にならないように突起類同士や植毛同士が互いに接触しないようにする。このように構成すると、流路抵抗が更に大きく、好結果が得られる。
【００２０】
また、多翼ファン２を構成する２つのファン部12、22は、前記のように膨出部を形成せずに所定枚数の羽根を切り起こしたシロッコファン用基板を筒状に丸めて、両周端の被加締板部に上板、下板を各々加締固定して形成したり、更には上記のように羽根を切り起こした後、長手縁に残存する細帯状部分を縮径するように折り畳み、その折り畳み部分に上板、下板を加締固定する等、筒状に巻着したシロッコファン用基板が所定枚数の羽根を切り起こしによって有し、そのシロッコファン用基板の周端に上板、下板が加締固定された断面構造を具備するものならばどのような構造のものでも良いものである。
【発明の効果】
本発明は以上のように羽根を切り起こし形成したシロッコファン用基板の周端に上板、他周端に下板を加締固定して２つのファン部を形成し、そうした２つのファン部を背中合わせ状に連結した多翼ファンを使用しているため、先行技術のように基板から羽根を一枚づつ切抜き成形したもののように端切れ等が生じて材料が有効利用されなかったり、羽根を一枚一枚上板、下板に植え込む面倒な手間もかからず、製作コストを大幅に低減できる。
しかも、ファン隔壁板の周端に嵌着固定された弾性膜とその弾性膜に対して小間隙を隔てて配置される隔壁とでオーバーラップ構造を形成したり、２つのファン部間に挟持された弾性板とその弾性板に対して小間隙を隔てて配置される隔壁とでオーバーラップ構造を形成しているので、その小間隙が大きな流路抵抗を生み出して、排気、給気を流通させない流通防止作用を発揮して、排気が給気室に、また給気が排気室に混ざり込むのを防止することができる、しかも弾性膜や弾性板が臨む排気室の排気圧力が、給気圧力よりも高いと、小間隙を小さくするように弾性的に曲がって、特に好ましくない排気の給気への混入防止に効果を発揮する。
【図面の簡単な説明】
【図１】第１の実施の形態の強制給排気用送風機を組み込んだレンジフードファンの側面図で一部切欠して示す。
【図２】第１の実施の形態の要部の拡大断面図。
【図３】帯状のシロッコファン用基板から羽根を成型加工する状態を示す平面図。
【図４】図３の横断平面図。
【図５】筒状に丸めたシロッコファン用基板に上板、下板を加締固定する状態を示す斜視図。
【図６】第２の実施の形態の要部の拡大断面図。
【図７】第３の実施の形態の要部の拡大断面図。
【図８】従来例の強制給排気用送風機の要部を示す拡大断面図。
【符号の説明】
Ａ  ：強制給排気用送風機        12、22：ファン部
Ｘ  ：小間隙                      １  ：ケーシング
71  ：隔壁                        200  ：排気室
300 ：給気室                      ２  ：多翼ファン
12ｂ、22ｂ:上板              12ａ、22ａ：下板
７：ファン隔壁板            12ｃ、22ｃ：羽根
８：弾性膜                          ９：弾性板
【図１】
0003631817.tif 000002
【図２】
0003631817.tif 000003
【図３】
0003631817.tif 000004
【図４】
0003631817.tif 000005
【図５】
0003631817.tif 000006
【図６】
0003631817.tif 000007
【図７】
0003631817.tif 000008
【図８】
0003631817.tif 000009